(57)【要約】      （修正有）【課題】建物に設け地震等の際に建物自体を浮上させる免震装置を提供する。【解決手段】建物に設け、建物の水平を保持して、地面に接する基礎底盤１と建物を載せる基礎上盤２に対称に向かい合う湾曲面を直接設け、その中心に一つの球体７を配置する。地震による横揺れにより基礎底盤が動いたときに、その球体が回転し、湾曲面を転動して基礎上盤が浮き上がり、基礎上盤に揺れを伝えず、建物の免震作用を行い、地震動の終了時に球体が湾曲面の中心部に戻ることを特徴とする。【選択図】図１
0003190341.tif 000002
【実用新案登録請求の範囲】
【請求項１】
建物に設け、建物の水平を保持して、地面に接する基礎底盤と建物を載せる基礎上盤に対称に向かい合う湾曲面を直接設け、その中心に一つの球体を配置し、地震による横揺れにより基礎底盤が動いたときに、その球体が回転し、湾曲面を転動して基礎上盤が浮き上がり、基礎上盤に揺れを伝えず、建物の免震作用を行い、地震動の終了時に球体が湾曲面の中心部に戻ることを特徴とする免震装置。
【請求項２】
湾曲面を鉄板、硬質合成樹脂材などで成形して配置したことを特徴とする請求項１記載の免震装置。
【考案の詳細な説明】
【技術分野】
【０００１】      この考案は、地震の際の建物の免震装置に関するものである。
【背景技術】
【０００２】      建物に設け、地震の際に建物側に震動を伝え無い様にする免震装置があるが、それにおいて、たとえば下記する特許文献１の「エアーバック式免震装置」は、揺れを検知するセンサーなどの制御手段により、エアーバックを膨張して行うものであり、特許文献２の「空圧免震位置ずれ修復装置」は、地震沈静後に上基礎と下基礎の位置ずれを、空気袋を膨張して行うものであるが、それらのエアーバック、または空気袋はエアータンクに貯めた空気を使用するので、地震動を感知して一回使用されることによって、そのエアータンクに空気を補充するのに時間を要し、大地震の際、続いて起きる余震に対応することができないという欠点がある。特許文献３の「磁気浮揚式免震装置」は、上下の基礎に設けた磁石の磁力の反発を利用して免震効果を得ようとする装置であり、地震時に揺れを感知すると電磁石間に通電されるものである。また免震装置の免震機構として転がり免震支承、積層ゴム支承、滑り免震支承などがあり、それらの中で転がり免震支承はボール、ローラーなどを用いているが、これらボール、ローラーなどを支承するに当たり、平面または凹面状の皿で支承し、その上を転がるようにしたものであり、そこでは皿状の支承具を必要としている。
【先行技術文献】
【特許文献】
【０００３】
【特許文献１】  特開２００１−９００９１公開特許公報
【特許文献２】  特開２００８−２０８６９６公開特許公報
【特許文献３】  実用新案登録第３１２１８８８号公報
【考案の概要】
【考案が解決しようとする課題】
【０００４】      この考案は、建物に設け、建物の水平を保持して、たとえば建物の四隅において、地面に接する基礎底盤と建物を載せる基礎上盤に対称に向かい合う湾曲面を直接設け、その中心に球体を配置し、地震による横揺れにより、球体が円滑に回転し、湾曲面を転動して基礎上盤が浮き上がり、建物の免震作用を行い、地震動の終了時に球体が湾曲面の中心部に戻ることを特徴とする免震装置として、常に継続的、連続的に使用できる装置を得ることを目的とするものである。
【課題を解決するための手段】
【０００５】      建物Ｂのたとえば四隅において、地面に接する基礎底盤１と建物Ｂを載せる基礎上盤２に対称に向かい合う湾曲面３，３’を直接設け、その中心に一つの球体７を配置し、地震による横揺れにより基礎底盤１が動いたときに、その球体７が円滑に回転し、湾曲面３，３’を転動して、基礎上盤２が浮き上がり、基礎上盤２に揺れを伝えず、建物の免震作用を行い、地震動の終了時に球体７が湾曲面３，３’のの中心部に戻ることを特徴とする免震装置Ａ。
【考案の効果】
【０００６】      この考案は、地震などの際に  建物の水平を保持して、たとえば建物の四隅において、地面に接する基礎底盤と建物を載せる基礎上盤に対称に向かい合う湾曲面を直接設け、その中心に一つの球体を配置したことにより、地震による全方向、３６０度の横揺れにより球体が円滑に回転し湾曲面を転動して、基礎上盤が浮き上がり、基礎上盤側に震動を直接伝えないことにより建物の免震作用を行い、地震動の終了時に球体が湾曲面の中心部に必然的に戻ることを特徴とする免震装置として、全て機械的な簡潔な構成により、確実に継続的、連続的に使用できる。またそれは地震の感知手段をとくに必要とせず、先行技術文献の特許文献１，２，３におけるような地震の感知手段を備える必要は無い。云うまでも無く停電に備えて、別途の予備電源、自家発電装置、電池などを備える必要もない。これによって当初の地震の際はもとより、余震対策としても有効である。また風水害その他の災害における震・振動にも対応することができる。
【図面の簡単な説明】
【０００７】
【図１】この考案の免震装置の説明図である。
【図２】この考案の免震装置を施した建物の平面図である。
【図３】図２のｂ−ｂ’線断面図である。
【考案を実施するための形態】
【０００８】
【実施例】
【０００９】        図１は、この考案の免震装置Ａの実施例の断面図（図２，ａ−ａ’線断面図）であって、Ｂは建物、１は基礎底盤（鉄筋コンクリートなど）、２は基礎上盤（鉄筋コンクリートなど）、３，３’は湾曲面（これらの湾曲面の形成は、基礎底盤１と基礎上盤２に直接設けるが、鉄板、硬質合成樹脂材などで湾曲面を成形して配置してもよい）、４は床、５は床下、６は支持木材、７は球体（たとえば鋼球製）である。球体７は湾曲面３，３’間に一ケとする。【００１０】      この考案の免震装置Ａは、図２の平面図に示すように、水平を保持してこの例では建物Ｂの四隅に配置されている。それらの詳細は図１に示すように、地面に接する基礎底盤１と建物を載せる基礎上盤２に対称に向かい合う湾曲面３，３’を直接設け、その中心に一つの球体７を配置する。これによって常時は基礎底盤１に基礎上盤２が自重で動かないようになっている。そして地震によって地盤が上下して横揺れが生じたときに、基礎底盤１が横方向に動いても、球体７が回転し、湾曲面３，３’を転動して、基礎上盤２が浮き上がり、この横揺れは基礎上盤２に伝わらず、したがって上部に位置する建物には伝わらず免震の働きをする。すなわち３６０度方向の横揺れに対していずれの方向でも、この球体７が円滑に回転し湾曲面３，３’を転動して、基礎上盤２側に地震動を直接伝えないことにより、建物の免震作用を行う。そして、地震動の終了時には球体７は必ず湾曲面３，３’の中心部に戻ることとなる。【００１１】      大地震の際には当初の地震に続いて、余震が発生することがしばしばであるが、この考案の免震装置は、常にその都度、必ず確実に作動するので万全である。それはすべて機械的な構成であることにより作動が確実であり、製作も廉価に提供できて経済的である。。なおこの考案の免震装置は、建物の大きさに応じて、免震装置の数を、建物全体の水平を保持して増加減、配置する。
【符号の説明】    Ａ        免震装置
Ｂ        建物
１        基礎底盤
２        基礎上盤
３，３’  湾曲面
４        床
５        床下
６        支持木材
７        球体
【図１】
0003190341.tif 000003
【図２】
0003190341.tif 000004
【図３】
0003190341.tif 000005